(57)【要約】【課題】複数のドットで文字または画像を形成する画像形成装置及びその画像処理回路において、注目ドットの周囲ドットの状況に応じて最適なドット階調再現を実現することができ、これにより種々の疑似階調処理を適切に処理して画像品質を向上させること。【解決手段】書き込み系に対する書き込み画像データについて注目ドットの周囲状況を検出して周囲状況に応じてデータ補正する手段を有する画像処理回路及び画像形成装置であって、注目ドット及びこのドットの隣接ドットの位相状態を検出する検出手段を有し、位相状態に応じて注目ドットのデータ変換を行う。【選択図】　　　　図１
2004104185.tif 000002
【特許請求の範囲】
【請求項１】
複数のドットで文字または画像を形成する画像形成装置の画像処理回路であり、書き込み系に対する書き込み画像データについて注目ドットの周囲状況を検出して該周囲状況に応じてデータ補正する手段を有する画像処理回路であって、
前記注目ドット及び該ドットの隣接ドットの位相状態を検出する検出手段を有し、
前記位相状態に応じて前記注目ドットのデータ変換を行うことを特徴とする画像処理回路。
【請求項２】
前記画像データは、位相ビットを有する形式のデータであり、
前記検出手段は、前記注目ドット及び隣接ドットにおける位相ビットから位相状態を判断し、
前記位相状態に応じて前記注目ドットのデータ変換を行うことを特徴とする請求項１記載の画像処理回路。
【請求項３】
前記注目ドットと該ドットの隣接ドットとにおける書き込みドットの位相関係を検出し、該位相関係に基づき書き込みドットを隣接した状態で成長させる隣接条件と、隔離した状態で成長させる隔離条件とを判断し、該条件に応じて前記注目ドットのデータ変換を行うことを特徴とする請求項１または２に記載の画像処理回路。
【請求項４】
前記検出手段は、前記隣接ドットのうち前記注目ドットの左右ドットの位相状態を検出し、
前記左右ドットの位相状態に応じて前記注目ドットのデータ変換を行うことを特徴とする請求項１から３のいずれか１項に記載の画像処理回路。
【請求項５】
複数のドットで文字または画像を形成する画像形成装置であり、書き込み系に対する書き込み画像データについて注目ドットの周囲状況を検出して該周囲状況に応じてデータ補正する手段を有する画像形成装置であって、前記注目ドット及び該ドットの隣接ドットの位相状態を検出する検出手段を有し、
前記位相状態に応じて前記注目ドットのデータ変換を行う画像処理回路を備えることを特徴とする画像形成装置。
【請求項６】
前記画像データは、位相ビットを有する形式のデータであり、
前記検出手段は、前記注目ドット及び隣接ドットにおける位相ビットから位相状態を判断し、
前記位相状態に応じて前記注目ドットのデータ変換を行うことを特徴とする請求項５記載の画像形成装置。
【請求項７】
前記注目ドットと該ドットの隣接ドットとにおける書き込みドットの位相関係を検出し、該位相関係に基づき書き込みドットを隣接した状態で成長させる隣接条件と、隔離した状態で成長させる隔離条件とを判断し、該条件に応じて前記注目ドットのデータ変換を行うことを特徴とする請求項５または６に記載の画像形成装置。
【請求項８】
前記検出手段は、前記隣接ドットのうち前記注目ドットの左右ドットの位相状態を検出し、
前記左右ドットの位相状態に応じて前記注目ドットのデータ変換を行うことを特徴とする請求項５から７のいずれか１項に記載の画像形成装置。
【発明の詳細な説明】
【０００１】
【発明の属する技術分野】
本発明は、カラー複写機、カラープリンタ、カラーファクシミリ等の画像形成装置、及び階調再現のための画像補正処理を行う画像処理回路に関する。
【０００２】
【従来の技術】
複写機、プリンタ、ファクシミリ等の画像形成装置における画像処理技術の１つとして、多値ディザ法を用いて画像データに対して濃度補正を行う画像処理方法が知られている（例えば特許文献１等を参照）。この種の画像形成装置は、多値画像データに対して濃度特性補正を行う第１の補正手段と、この第１の補正手段により補正された多値画像データに対し多値ディザ処理を行うディザ処理手段と、このディザ処理手段により得られた多値ディザデータに対してプリンタ出力特性に基づく濃度特性補正を行う第２の補正手段とを備えることにより、多様なプリンタ特性の組み合わせに対処するものである。
【０００３】
上記技術では、多値ディザ処理用の濃度補正は１つのγ補正で行われている。画像形成装置の場合、様々な疑似階調処理に対応しなければならないが、上記画像処理技術を備える従来の画像形成装置では、１つのγ特性に基づいてγ補正を行っているため、様々な疑似階調処理を適切に処理することが不可能であり、最適なドット階調再現を実現することができない。
【０００４】
【特許文献１】
特開平３−８０７６８号公報
【０００５】
【発明が解決しようとする課題】
本発明は、かかる問題点に鑑みてなされたものであり、複数のドットで文字または画像を形成する画像形成装置及びその画像処理回路において、注目ドットの周囲ドットの状況に応じて最適なドット階調再現を実現することができ、これにより種々の疑似階調処理を適切に処理して画像品質を向上させることのできる画像形成装置及び画像処理回路を提供することを目的とする。
【０００６】
【課題を解決するための手段】
かかる目的を達成するために、請求項１記載の発明は、複数のドットで文字または画像を形成する画像形成装置の画像処理回路であり、書き込み系に対する書き込み画像データについて注目ドットの周囲状況を検出して周囲状況に応じてデータ補正する手段を有する画像処理回路であって、注目ドット及びこのドットの隣接ドットの位相状態を検出する検出手段を有し、位相状態に応じて注目ドットのデータ変換を行うことを特徴としている。
【０００７】
請求項２記載の発明は、請求項１記載の発明において、画像データは、位相ビットを有する形式のデータであり、検出手段は、注目ドット及び隣接ドットにおける位相ビットから位相状態を判断し、位相状態に応じて注目ドットのデータ変換を行うことを特徴としている。
【０００８】
請求項３記載の発明は、請求項１または２に記載の発明において、注目ドットとこのドットの隣接ドットとにおける書き込みドットの位相関係を検出し、位相関係に基づき書き込みドットを隣接した状態で成長させる隣接条件と、隔離した状態で成長させる隔離条件とを判断し、この条件に応じて注目ドットのデータ変換を行うことを特徴としている。
【０００９】
請求項４記載の発明は、請求項１から３のいずれか１項に記載の発明において、検出手段は、隣接ドットのうち注目ドットの左右ドットの位相状態を検出し、左右ドットの位相状態に応じて注目ドットのデータ変換を行うことを特徴としている。
【００１０】
請求項５記載の発明は、複数のドットで文字または画像を形成する画像形成装置であり、書き込み系に対する書き込み画像データについて注目ドットの周囲状況を検出して周囲状況に応じてデータ補正する手段を有する画像形成装置であって、注目ドット及びこのドットの隣接ドットの位相状態を検出する検出手段を有し、位相状態に応じて注目ドットのデータ変換を行う画像処理回路を備えることを特徴としている。
【００１１】
請求項６記載の発明は、請求項５記載の発明において、画像データは、位相ビットを有する形式のデータであり、検出手段は、注目ドット及び隣接ドットにおける位相ビットから位相状態を判断し、位相状態に応じて注目ドットのデータ変換を行うことを特徴としている。
【００１２】
請求項７記載の発明は、請求項５または６に記載の発明において、注目ドットとこのドットの隣接ドットとにおける書き込みドットの位相関係を検出し、位相関係に基づき書き込みドットを隣接した状態で成長させる隣接条件と、隔離した状態で成長させる隔離条件とを判断し、この条件に応じて注目ドットのデータ変換を行うことを特徴としている。
【００１３】
請求項８記載の発明は、請求項５から７のいずれか１項に記載の発明において、検出手段は、隣接ドットのうち注目ドットの左右ドットの位相状態を検出し、左右ドットの位相状態に応じて注目ドットのデータ変換を行うことを特徴としている。
【００１４】
【発明の実施の形態】
以下、本発明の実施の形態を添付図面を参照しながら詳細に説明する。構成要素には記号を付与して区別する。図１は、本発明の実施の形態における画像処理回路の構成を示す図である。また、図８は、図１に示す画像処理回路を備えた本発明の実施の形態における画像形成装置の構成を示す図である。
【００１５】
まず、図８に参照される本実施形態の画像形成装置の全体構成について説明する。本画像形成装置は、所定形式で与えられる画像データに対し多値ディザ処理等の画像処理を施してレーザ書き込み方式等の所定方式の書き込み系により転写紙への画像形成を行う装置である。特に、書き込み系は１画素に対するドット形成のモードとして左右の書き込みモードを備え、本実施形態の画像処理回路では上記書き込み系に対し出力する書き込み画像データ（信号）について、画素（ドット）の位相状態に基づくデータ変換処理（画像補正処理）を施し、書き込み系に対し出力して画像形成させる。
【００１６】
図８において、１はベルト状像担持体たる可撓性のベルト状感光体である。ベルト状感光体１は、回動ローラ２、３の間に架設されていて回動ローラ２、３の駆動により時計方向に搬送される。４は帯電手段たる帯電部材、５は像露光手段たるレーザ書き込み系ユニットである。６〜９は、それぞれ特定色の現像剤を収容した複数の現像手段すなわち現像器である。
【００１７】
レーザ書き込み系ユニット５は、上面にスリット状の露光用開口部を設けた保持筐体に納めて装置本体に組み込まれる。レーザ光学系５としては、図示の光学系のものの他に、発光部と収束性光伝送体を一体とした光学系等も使用される。帯電部材４、レーザー書き込み５Ｄ、感光体用クリーニング装置１５は、ベルト状感光体１を架設している複数の回動ローラの内の１本の回動ローラ２部に設けられている。
【００１８】
各現像器６、７、８、９は、例えばイエロー（Ｙ）、マゼンタ（Ｍ）、シアン（Ｃ）、黒色（Ｋ）の各現像剤をそれぞれ収容するもので、所定の位置でベルト状感光体１と近接あるいは接触する各現像スリーブを備え、感光体ベルト１上の潜像を非接触現像あるいは接触現像法により顕像化する機能を有している。
【００１９】
１０は転写像担持体たる中間転写ベルトであり、中間転写ベルト１０は、回動ローラ１１、１２の間に架設されていて回動ローラの駆動により反時計回りに搬送される。ベルト状感光体１と中間転写ベルト１０は、回動ローラ３部で接触しており、ベルト状感光体１上の第一回目の顕像が、中間転写ベルト内に設けられたバイアスローラ１３により中間転写ベルト１０上に転写される。そして、同じようなプロセスを反復することにより、第二回目の顕像が、そして第三回目の顕像、第四回目の顕像が中間転写ベルト１０上にそれぞれ重ねられて位置ズレを生じないように転写される。中間転写ベルト１０に接離するように転写ローラ１４が設けられている。１５はベルト状感光体１のクリーニング装置、１６は中間転写ベルト１０のクリーニング装置であり、クリーニング装置１６のブレード１６Ａは画像形成中には中間転写ベルト１０の表面より離間した位置に保たれ画像転写後のクリーニング時のみ図示のごとく中間転写ベルト１０の表面に圧接される。
【００２０】
カラー画像形成装置によるカラー画像形成のプロセスは次のように行われる。まず、多色像の形成は、次の像形成システムに従って遂行される。即ち、オリジナル画像を撮像素子が走査するカラー画像データ入力部で得られたデータが、画像データ処理部で演算処理されて画像データが作成され、これが一旦画像メモリに格納される。
【００２１】
次いで、画像メモリは、記録時取り出されて記録部である例えば図８で示した本実施形態のカラー画像形成装置へと入力される。すなわち、プリンタとは別体の画像読み取り装置から出力される色信号がレーザ書き込み系ユニット５に入力される。すると、レーザ書き込み系５においては半導体レーザ５Ｅで発生されたレーザビームが駆動モータ５Ａにより回転されるポリゴンミラー５Ｂにより回転走査され、ｆθレンズ５Ｃを経てミラーにより光路を曲げられて、予め除電ランプ２１により除電され帯電手段たる帯電部材４によって一様に帯電されたベルト状感光体１の周面上に露光され、静電潜像が形成される。
【００２２】
ここで、露光する画像パターンは所望のフルカラー画像をイエロー、マゼンタ、シアン、黒に色分解したときの単色の画像パターンである。形成された各々の静電潜像は回転型現像器によりイエロー、マゼンタ、シアン、黒の現像器で現像され、顕色化され単色化されて単色画像が形成される。ベルト状感光体１上に形成された単色画像は、ベルト状感光体１に接触しながら反時計回りに回転する中間転写ベルト１０上に転写される。感光体ベルト１上に形成されるイエロー、マゼンタ、シアン、黒の単色画像を中間転写ベルト１０表面に順次重ね合わせる。中間転写ベルト１０上に重ね合わされたイエロー、マゼンタ、シアン、黒の画像は、給紙台１７から給紙ローラ１８、レジストローラ１９を経て転写部へ搬送された転写紙に転写ローラ１４により転写される。転写終了後、転写紙は定着装置２０により定着されてフルカラー画像が完成する。中間転写ベルト、及び感光体ベルトは、シームレスである。
【００２３】
本実施形態のカラー画像形成装置の一部の拡大図を図９に示す。中間転写ベルト１０の端部には６個のマーク４１Ａ〜４１Ｆがあり、マーク検知センサ４０により任意のマーク（例えば４１Ａ）を検出する事により書き込みを開始し、一周して再度マーク４１Ａを検知したときに２色目を書き込み開始する。この時、他のマーク４１Ｂ〜４１Ｆは、マークの個数を管理する事により書き込みタイミングとして使用できないように信号にマスクがかかるようになっている。中間転写ベルト１０と接した部分からやや上流の部分には、感光体ベルト１上のトナー量を検出するＰセンサ２２が配設されている。
【００２４】
本実施形態の画像形成装置で画像形成等の制御を司るコントローラは、ＣＰＵ（プロセッサ）、ＲＯＭ（制御プログラムメモリ）、ＲＡＭ（フレームメモリ及び作業エリア等）、ホストインタフェース部、エンジンインタフェース部等を含み、ホストインタフェース部を介してＰＣや画像読取装置等のホスト装置が接続され、エンジンインタフェース部を介してプリンタエンジン部が接続される。コントローラは、ホスト装置等から所定の形式で与えられる制御データ（コードデータ、画像コマンド）をフレームデータ（ビットマップデータ）に展開してプリンタエンジン部に対し転送する処理を含む装置全体の制御を行う。コントローラにおけるＣＰＵは、ＲＯＭに格納されている制御プログラムを実行し、画像形成装置の各部を制御して画像形成処理を実行する。
【００２５】
次に、図１の、本実施形態の画像形成装置の備える画像処理回路の概略構成図を参照して本発明に特徴的な画像補正処理（書き込みデータ変換処理）について説明を行う。本実施形態の画像処理回路は、１ラインバッファＬ０及びＬ１、注目画素（ドット）用のラッチＸ、隣接画素（ドット）用のラッチＡ０〜Ａ７、及びこれら各ラッチＸ及びＡ０〜Ａ７からデータを入力してデータ変換処理（書き込みデータ補正処理）を行う変換部１００を有する。注目画素（ドット）についての周囲状況の検出として、特に隣接画素（ドット）としてラッチＡ０からＡ７で８つの画素を検出している。
【００２６】
本実施形態の画像処理回路の前段では、書き込み対象の画像データに対し多値ディザ処理等の所定の画像処理（疑似階調処理）が施される。この画像データは、各ドットにおいて位相状態を持つデータである。画像処理回路の変換部１００で補正処理された書き込みデータは、書き込み系の一部を成すＬＤ変調部２００へ出力される。ＬＤ変調部２００では、変換部１００から入力される書き込みデータをもとにレーザ光出力の変調を行って画像形成を行う。書き込み系は１ドットに対して左右の書き込みモードを備え、ドットの位相状態に関する情報に基づき制御される。
【００２７】
この画像処理回路に入力される画像データ（前段階の処理として多値ディザ処理等が施され位相情報を持つ画像データ）（１画素４ｂｉｔ　表現＝１６階調（レベル０〜レベル１５）のデータとする）は、まずラッチＡ５に入力されると共に１ラインバッファＬ０に入る。１ラインバッファＬ０の出力はラッチＡ３に入ると共に１ラインバッファＬ１に入る。１ラインバッファＬ１の出力はラッチＡ０に入る。ラッチＡ５，Ａ３，Ａ０にてラッチされたデータは同期信号に同期してシフトされ、それぞれ次段のＡ６，Ｘ，Ａ１に入る。また同様にシフトされてＡ７，Ａ４，Ａ２に入る。
【００２８】
ラッチＸ及び各ラッチＡ０〜Ａ７のデータは変換部１００に入力され、各データ値に基づき画像補正処理される。変換部１００からＬＤ変調部２００に対して補正処理後の書き込みデータ（画像データ及び位相データ）信号を出力する。ラッチＸのデータは画像処理に関する注目ドットである。ラッチＸの周りのＡ０〜Ａ７のデータは、注目ドットに隣接する隣接ドットのデータである。
【００２９】
本実施形態の画像処理回路のラッチＡ５に対し入力される画像データは、図４に示した形式を持つ。この画像データは、全５ｂｉｔ　データで、最下位ビット（ＬＳＢ）は位相ビットであり、上位４ｂｉｔ　は画像データ（１６階調）となっている。位相ビットは、ドットの位相状態を示すビットであり、”０”、”１”を値としてとる。
【００３０】
本実施形態の画像処理回路での画像補正処理（書き込みデータ変換処理）は、書き込み系に対し出力する多値画像データについて、画素単位で注目ドットの周辺領域の状況つまり注目ドットに隣接する隣接ドットの状態（レベル及び位相を含む情報）を検出し、この隣接ドット状態と注目ドット状態、特に書き込みドットの位相関係に基づき注目ドットのデータ変換を行う。注目ドットの周囲状況特に書き込みドットの位相関係に応じたデータ変換（補正処理）を行うことで最適なドット再現を実現することができ、種々の疑似階調処理を適切に処理して画像品質を向上させることができる。
【００３１】
図３に書き込み位相（モード）についての説明図を示す。書き込み系は、左右の書き込みモードを持つ。通常はモード”１”（＝左モード）で書き込まれるが、位相信号が”０”によりモード”０”（＝右モード）となる。左モードは、１ドットの左端から右側にドット幅が成長し、右モードは、１ドットの右端から左側にドット幅が成長する。
【００３２】
書き込み画像データの１画素において、位相ビットが”０”の時にモード”０”（右モード）となる。通常はモード”１”（左モード）で書き込まれる。上記画像データ４ｂｉｔ　の分解能で１ドットはパルス幅変調されるが、モード”０”（右モード）の時はドットの右側からドットが太るように書き込み変調される。モード”１”（左モード）では上記と逆にドットの左側からドットが太るように書き込み変調される。
【００３３】
本実施形態では、上記位相ビットを制御することにより、低いレベルのドットを隣接するドット同士２ドットの境を中心に太るようにドットを作成したり、また完全に離してドットを作成したりすることなどが可能である。
【００３４】
図４に、上記のような位相ビットの制御（左右モードの書き込み制御）による画像形成の例について示す。隣接するドット（画素）において書き込みドット同士がくっついた（隣接した、接合した）状態で成長する条件を「隣接条件」、また、隣接するドット（画素）において書き込みドット同士がくっつかない（隔離した）状態で成長する条件を「隔離条件」と呼ぶことにする。本実施形態の画像処理回路に入力される画像データは前段階で既に位相ビットを持っており、隣接するドット（画素）において書き込みドットの隣接や隔離が論理的に存在する。
【００３５】
図４中に示す隣接条件例のうち、隣接条件ａは、注目ドット（Ｘ）がフルレベル（レベル１５）でその左側ドット（Ａ４）の位相状態が右モード（モード”０”）かつ右側ドット（Ａ３）の位相状態が左モード（モード”１”）である。隣接条件ｂは、注目ドットが中間レベル（レベル１０）で左モード、かつ左側ドットが右モードである。隣接条件ｃは、注目ドットが中間レベル（レベル１０）で右モード、かつ右側ドットが左モードである。上記隣接条件ａ、ｂ、ｃでは、いずれも、隣接するドットの境界において書き込みドットが隣接する。
【００３６】
また、隔離条件例のうち、隔離条件ｄは、注目ドット（Ｘ）がフルレベル（レベル１５）で左側ドット（Ａ４）が左モード（モード”１”）かつ右側ドット（Ａ３）が右モード（モード”０”）である。隔離条件ｅは、注目ドットが中間レベル（レベル１０）で右モード、かつ左側ドットが左モードである。隔離条件ｆは、注目ドットが中間レベル（レベル１０）で左モード、かつ右側ドットが右モードである。上記隣接条件ｄ、ｅ、ｆでは、いずれも、隣接するドットにおいて書き込みドット同士が隔離されスペースが形成される。
【００３７】
本実施形態の画像処理回路では、変換部１００において、注目ドット（Ｘ）について隣接ドット（Ａ０〜Ａ７）特に左右のドット（Ａ３、Ａ４）との位相関係を位相ビットから検出、判断する。変換部１００の判断として、隣接条件は、下記条件（１）、（２）のどちらかまたは両方を満足した場合であり、それ以外は隔離条件と判断する。
条件（１）：左側Ａ４＝（右モード）かつ注目Ｘ＝（左モードまたはフルレベル）
条件（２）：右側Ａ３＝（左モード）かつ注目Ｘ＝（右モードまたはフルレベル）
【００３８】
図５は、注目ドット（Ｘ）に関する隣接領域（Ａ０〜Ａ７）がすべて”０”（レベル０）の場合の注目ドットのデータ変換を規定するテーブルパラメータ（入出力変換特性）について表したものである。変換特性として入力に対してやや上側に凸の特性のカーブとなっている。隣接領域Ａ０〜Ａ７がすべて”０”の場合は注目ドットが単独ドットであることを表しており、このような場合は再現しにくくなるため強めに書き込む傾向をもたせている。
【００３９】
図６は、注目ドットの左右ドットであるＡ３、Ａ４について隣接条件が上記条件（１）（２）を満たした場合における、隣接領域Ａ０〜Ａ７におけるドット数（周囲ドット数、書き込みドット数）に応じた入出力変換について同様に表したものである。周囲ドット数（図中の出力側の「１〜６」は周囲ドット数を示す）に応じて微妙に変換のカーブを変える設定としても良いが、同特性でもかまわない（図中では周囲ドット数が１〜６のいずれの場合でも同じ出力値となるよう設定している）。
【００４０】
図７は、注目ドットの左右ドットであるＡ３、Ａ４について隣接条件が上記条件（１）（２）を満たさない場合つまり隔離条件における、隣接領域Ａ０〜Ａ７のドット数（周囲ドット数）に応じた入出力変換について表したものである。こちらのデータ変換処理でも同様に周囲ドット数に応じて微妙に変換のカーブを変えた設定としてもよい。隔離条件の場合は隣接するドットにおいて各書き込みドットが離れた状態で成長するため単独ドットと同様に再現しにくい特性になるが、ミドルレベル近辺から急激にくっつき出すため、階調特性としてはガンマが立った特性となる。
【００４１】
本画像処理回路では、以上のように、書き込み画像データについて、注目ドットと隣接ドットの位相状態に応じて各種の入出力変換テーブルの設定に基づきデータ変換を施す。特に上述したように書き込みドット位相関係から隣接条件と隔離条件とを判断してデータ変換を行う。このような画像補正処理により最適なドット再現を実現することができる。
【００４２】
以上により本発明の実施の形態について説明した。なお、上述した実施形態は、本発明の好適な実施形態の一例を示すものであり、本発明はそれに限定されるものではなく、その要旨を逸脱しない範囲内において、種々変形実施が可能である。
【００４３】
【発明の効果】
以上の説明から明らかなように、本発明によれば、複数のドットで文字または画像を形成する画像形成装置及びその画像処理回路において、書き込み画像データについて、注目ドットの周囲ドット（隣接ドット）の位相状態に応じたデータ変換を行うので、隣接ドットの状態に関わらずドットの階調再現を良好に実現することができ、種々の疑似階調処理を適切に処理して画像品質を向上できる効果を得られる。
【００４４】
特に請求項２記載の発明では、対象の画像データは位相ビットを有した形式であり、位相ビットの値をもとに位相状態が検出される。
【００４５】
特に請求項３記載の発明では、注目ドットと隣接ドットとにおける書き込みドットの位相関係において本実施形態の説明で述べたような隣接条件と隔離条件を判断してこれをもとにデータ変換が行われる。
【００４６】
特に請求項４記載の発明では、注目ドットの隣接ドットのうち左右のドットについて位相状態を検出し、これをもとにデータ変換が行われる。
【図面の簡単な説明】
【図１】本発明の実施の形態における画像処理回路の構成を示す図である。
【図２】本実施形態の画像処理回路に入力される画像データの形式について示す図である。
【図３】書き込み位相（左右の書き込みモード）についての説明図である。
【図４】位相ビットの制御による画像形成の例、隣接条件と隔離条件についての説明図である。
【図５】注目ドットに関する隣接ドットがすべて”０”の場合の注目ドットのデータ変換を規定するテーブルパラメータ（入出力変換特性）について表した図である。
【図６】注目ドットの左右ドットについて隣接条件が上記条件（１）（２）を満たした場合における、周囲ドット数に応じた入出力変換について表した図である。
【図７】注目ドットの左右ドットについて隣接条件が上記条件（１）（２）を満たさない場合つまり隔離条件の場合における、周囲ドット数に応じた入出力変換について表した図である。
【図８】本発明の実施の形態における画像形成装置の全体構成を示す図である。
【図９】本実施形態の画像形成装置の一部の拡大図である。
【符号の説明】
１　ベルト状感光体
２、３　回動ローラー
４　帯電部材
５　レーザー書き込み系ユニット
５Ａ　駆動モータ
５Ｂ　ポリゴンミラー
５Ｃ　ｆθレンズ
５Ｄ　レーザー書き込み部
５Ｅ　半導体レーザー
６，７，８，９　現像器
１０　中間転写ベルト
１１、１２　回動ローラー
１３　バイアスローラー
１４　転写ローラー
１５　感光体用クリーニング装置
１６　中間転写ベルト用クリーニング装置
１６Ａ　ブレード
１７　給紙台
１８　給紙ローラー
１９　レジストローラー
２０　定着装置
２１　除電ランプ
２２　Ｐセンサ
４０　マーク検知センサ
４１Ａ〜４１Ｆ　マーク
Ｘ　ラッチ（注目ドット）
Ａ０〜Ａ７　ラッチ（隣接ドット）
Ｌ０、Ｌ１　１ラインバッファ
１００　変換部
２００　ＬＤ変調部
ａ、ｂ、ｃ　隣接条件例
ｄ、ｅ、ｆ　隔離条件例
【図１】
2004104185.tif 000003
【図２】
2004104185.tif 000004
【図３】
2004104185.tif 000005
【図４】
2004104185.tif 000006
【図５】
2004104185.tif 000007
【図６】
2004104185.tif 000008
【図７】
2004104185.tif 000009
【図８】
2004104185.tif 000010
【図９】
2004104185.tif 000011